(57)【要約】【課題】冷媒が循環する冷却通路上において何らかの異常が生じた場合であっても発熱部の急激な温度上昇を抑制する。【解決手段】冷却構造は、発熱部２１，３１を冷却する冷媒の流路上において冷媒の流通方向に沿って立設された壁部４５と、流路の一部であって、壁部４５を隔てて隣接配置され、異なる発熱部２１，３１を冷却する二つの冷却部Ｗ１，Ｗ２と、壁部４５に貫設され、隣接する二つの冷却部Ｗ１，Ｗ２を連通させる開口５１Ａ，５１Ｂと、開口５１Ａ，５１Ｂを閉塞可能な形状に形成され、開口５１Ａ，５１Ｂの縁部に対して一端が固定されるとともに他端側が開閉するバイメタル式のカバー５２Ａ，５２Ｂと、を備える。カバー５２Ａ，５２Ｂは、冷媒の温度が所定の閾値温度Tth未満であるときに開口５１Ａ，５１Ｂを閉塞し、冷媒の温度が閾値温度Tth以上であるときに湾曲して開口５１Ａ，５１Ｂを開放する。【選択図】図３
2020088180.tif 000002
【特許請求の範囲】
【請求項１】
発熱部を冷却する冷媒の流路上において前記冷媒の流通方向に沿って立設された壁部と、
前記流路の一部であって、前記壁部を隔てて隣接配置され、異なる前記発熱部を冷却する二つの冷却部と、
前記壁部に貫設され、隣接する前記二つの冷却部を連通させる開口と、
前記開口を閉塞可能な形状に形成され、前記開口の縁部に対して一端が固定されるとともに他端側が開閉するバイメタル式のカバーと、を備え、
前記カバーは、前記冷媒の温度が所定の閾値温度未満であるときに前記開口を閉塞し、前記冷媒の温度が前記閾値温度以上であるときに湾曲して前記開口を開放する
ことを特徴とする、冷却構造。
【請求項２】
前記カバーの前記一端は、前記壁部の両側に位置する二つの前記冷却部の一方を流通する前記冷媒の流通方向を基準としたときに、前記開口よりも上流側に位置する
ことを特徴とする、請求項１記載の冷却構造。
【請求項３】
前記カバーは、前記冷媒の温度が前記閾値温度以上であるときに、前記他端側が前記流通方向の基準とした前記冷却部内に入り込むように湾曲する
ことを特徴とする、請求項２記載の冷却構造。
【請求項４】
前記開口は、前記壁部に複数個設けられ、
前記カバーは、各々の前記開口の縁部に対して一端が固定されるとともに他端側が開閉する
ことを特徴とする、請求項１〜３のいずれか１項に記載の冷却構造。
【請求項５】
前記冷却構造は、電動車両に搭載された二つの回転電機を駆動するための第一インバータに適用され、
前記第一インバータは、一方の前記回転電機の駆動中に発熱する第一電力変換部と、他方の前記回転電機の駆動中に発熱する第二電力変換部とを内部に備え、
隣接する前記二つの冷却部のうちの一方は前記第一電力変換部を冷却するとともに他方は前記第二電力変換部を冷却する
ことを特徴とする、請求項１〜４のいずれか１項に記載の冷却構造。
【請求項６】
請求項５に記載の冷却構造が適用された前記第一インバータを搭載した電動車両であって、
前記二つの回転電機とは別の回転電機と、
前記別の回転電機を駆動するための第二インバータと、
前記冷媒の温度が前記閾値温度よりも高い禁止温度以上である場合に、前記二つの回転電機の駆動を禁止するとともに、前記別の回転電機の駆動を許容する制御装置と、を備える
ことを特徴とする、電動車両。
【発明の詳細な説明】
【技術分野】
【０００１】
本発明は、発熱部を冷却するため冷却構造及びこの冷却構造が適用された電動車両に関する。
【背景技術】
【０００２】
従来、電子機器内の発熱部を冷却するための冷却構造において、バイメタル式の部材によって冷媒の流路を調整することで、冷却効果を高める技術が知られている。例えば、特許文献１には、並列に配置された複数の流路と、複数の流路のそれぞれに設けられたバイメタル式の感温流量制御手段とを備えた液冷システム（冷却構造）が開示されている。特許文献１のシステムによれば、感温流量制御手段が発熱部に近い流路ほど流量を多くするように調整することで、最低限の流量で効率的に発熱部を冷却できるとされている。
【先行技術文献】
【特許文献】
【０００３】
【特許文献１】特開２００４−２９５７１８号公報
【発明の概要】
【発明が解決しようとする課題】
【０００４】
ところで、上記の特許文献１に記載のシステムは、循環している冷媒の流量を調整するものであるため、流路上で何らかの異常が生じて冷媒が流通しなくなった場合に、発熱部を効果的に冷却することが難しい。また、冷媒が流通しなくなった状態で電子機器の使用を継続すると、発熱部の温度が急激に上昇し、発熱部の故障を引き起こすおそれがある。このため、流路上で何らかの異常が生じた場合にも発熱部の温度上昇を極力抑えられることが望まれる。
【０００５】
本件の冷却構造は、このような課題に鑑み案出されたもので、冷媒が循環する流路上において何らかの異常が生じた場合であっても発熱部の急激な温度上昇を抑制することを目的の一つとする。なお、この目的に限らず、後述する「発明を実施するための形態」に示す各構成から導き出される作用効果であって、従来の技術では得られない作用効果を奏することも、本件の他の目的である。
【課題を解決するための手段】
【０００６】
（１）ここで開示する冷却構造は、発熱部を冷却する冷媒の流路上において前記冷媒の流通方向に沿って立設された壁部と、前記流路の一部であって、前記壁部を隔てて隣接配置され、異なる前記発熱部を冷却する二つの冷却部と、前記壁部に貫設され、隣接する前記二つの冷却部を連通させる開口と、前記開口を閉塞可能な形状に形成され、前記開口の縁部に対して一端が固定されるとともに他端側が開閉するバイメタル式のカバーと、を備え、前記カバーは、前記冷媒の温度が所定の閾値温度未満であるときに前記開口を閉塞し、前記冷媒の温度が前記閾値温度以上であるときに湾曲して前記開口を開放する。
【０００７】
（２）前記カバーの前記一端は、前記壁部の両側に位置する二つの前記冷却部の一方を流通する前記冷媒の流通方向を基準としたときに、前記開口よりも上流側に位置することが好ましい。
（３）前記カバーは、前記冷媒の温度が前記閾値温度以上であるときに、前記他端側が前記流通方向の基準とした前記冷却部内に入り込むように湾曲することが好ましい。
（４）前記開口は、前記壁部に複数個設けられ、前記カバーは、各々の前記開口の縁部に対して一端が固定されるとともに他端側が開閉することが好ましい。
【０００８】
（５）前記冷却構造は、電動車両に搭載された二つの回転電機を駆動するための第一インバータに適用されることが好ましい。この場合、前記第一インバータは、一方の前記回転電機の駆動中に発熱する第一電力変換部と、他方の前記回転電機の駆動中に発熱する第二電力変換部とを内部に備え、隣接する前記二つの冷却部のうちの一方は前記第一電力変換部を冷却するとともに他方は前記第二電力変換部を冷却することが好ましい。
【０００９】
（６）ここで開示する電動車両は、上記（５）に記載の冷却構造が適用された前記第一インバータを搭載した電動車両であって、前記二つの回転電機とは別の回転電機と、前記別の回転電機を駆動するための第二インバータと、前記冷媒の温度が前記閾値温度よりも高い禁止温度以上である場合に、前記二つの回転電機の駆動を禁止するとともに、前記別の回転電機の駆動を許容する制御装置と、を備える。
【発明の効果】
【００１０】
開示の冷却構造によれば、冷媒の温度が所定の閾値温度を超えた場合に開口が開放される。これにより、隣接する二つの冷却部が開口を通じて連通状態となるため、二つの冷却部の間における冷媒の行き来を促進することができる。したがって、冷媒が循環する流路上において何らかの異常が生じた場合であっても発熱部の急激な温度上昇を抑制することができる。
【図面の簡単な説明】
【００１１】
【図１】実施形態に係る冷却構造が適用されたフロントインバータを搭載した電動車両の概略図である。
【図２】図１の電動車両に搭載されたフロントインバータの模式的な鉛直断面図（図３のＡ−Ａ矢視断面図）である。
【図３】図２のフロントインバータの模式的な水平断面図（図２のＢ−Ｂ矢視断面図）である。
【図４】図３のＲ部拡大図である。
【図５】図１の電動車両に搭載された制御装置のブロック構成図である。
【図６】図４の制御装置で実施される制御内容を例示するフローチャートである。
【図７】図３に示すフロントインバータの冷却水温度が第一期閾値温度以上であるときの作用を説明する図である。
【図８】図３に示すフロントインバータの冷却水温度が第二期閾値温度以上であるときの作用を説明する図である。
【発明を実施するための形態】
【００１２】
図面を参照して、実施形態としての冷却構造及び電動車両について説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
以下の説明では、電動車両の進行方向を前方（車両前方）、逆側を後方（車両後方）とし、前方を基準に左右方向（車幅方向）を定める。また、重力の方向を下方とし、その逆を上方として説明する。
【００１４】
［１．装置構成］
［１−１．全体構成］
本実施形態に係る冷却構造は、図１に示す車両１が備えるフロントインバータ４（第一インバータ）に適用される。車両１は、バッテリ８の電力を利用して走行する電動車両であり、左右の前輪ＦＬ，ＦＲを駆動する駆動源としてのフロントモータ２（二つの回転電機のうちの一つ）を備える。また、車両１は、エンジン９の出力で発電動作してバッテリ８を充電するジェネレータ３（二つの回転電機のうちの一つ）を備える。
【００１５】
フロントインバータ４は、車両１に搭載されたフロントモータ２及びジェネレータ３のそれぞれを駆動するためのものである。フロントインバータ４は、フロントモータ２及びジェネレータ３とバッテリ８とを接続する電気回路上に設けられ、フロントモータ２及びジェネレータ３側の交流電力とバッテリ８側の直流電力とを相互に変換する。フロントインバータ４，フロントモータ２，ジェネレータ３及びエンジン９は、図１に示すように、いずれも車両１の前側に配置される。
【００１６】
本実施形態の車両１は、フロントモータ２とは別に、左右の後輪ＲＬ，ＲＲを駆動するリアモータ５（別の回転電機）とリアモータ５を駆動するためのリアインバータ６（第二インバータ）とを備える。すなわち、車両１は、駆動用のフロントモータ２及びリアモータ５を備えた四輪駆動車である。リアモータ５及びリアインバータ６は、図１に示すように、車両１の後側に配置される。リアインバータ６は、リアモータ５とバッテリ８とを接続する電気回路上に設けられ、リアモータ６側の交流電力とバッテリ８側の直流電力とを相互に変換する。
【００１７】
バッテリ８は、フロントモータ２，ジェネレータ３，リアモータ５で発電される電力や、車載充電器７（OBC；On Board Charger）を介して外部電源から供給される外部電力で充電可能な蓄電装置である。バッテリ８は、例えばリチウムイオン二次電池やリチウムイオンポリマー二次電池等である。
【００１８】
フロントモータ２，ジェネレータ３，フロントインバータ４，リアモータ５，リアインバータ６，車載充電器７はいずれも電力で作動する装置（電気機械）であることから、各装置２〜７の作動中に電流が流れることで発熱する素子やCPUといった発熱部（発熱体）を内蔵している。このため、車両１は、各装置２〜７の発熱部を冷却するため冷却システムとして、ポンプ１１とラジエータ１２と循環経路１３とを備える。
【００１９】
循環経路１３は、冷却水（冷媒，不凍液，LLC；Long Life Coolant）が流通（循環）する流路であって、上記の装置２〜７を通過するように車両１内に配索されたホースや配管等である。ポンプ１１は、冷却水を圧送する電動ポンプである。ポンプ１１で圧送された冷却水は循環経路１３を流通することで各装置２〜７の発熱部を冷却し、ラジエータ１２で放熱される。
【００２０】
図１中の黒塗り矢印は、循環経路１３内を流れる冷却水の流通方向を示している。本実施形態の冷却水は、ポンプ１１から吐出されたのち、フロントインバータ４，車載充電器７，リアインバータ６，リアモータ５，フロントモータ２，ジェネレータ３の順に流れ、各装置２〜７の発熱部を冷却する。なお、冷却水の流通方向や各装置２〜７を流れる順番は特に限られず、図１に示すもの以外であってもよい。
【００２１】
車両１は、各装置２〜７の作動を制御するための制御装置１０を備える。制御装置１０は、例えば周知のマイクロプロセッサやＲＯＭ，ＲＡＭ等を集積したＬＳＩデバイスや組み込み電子デバイスとして構成された電子制御装置であって、車両１に設けられたネットワークの通信ラインに接続される。
【００２２】
［１−２．フロントインバータの構成］
図２及び図３を参照して、本実施形態の冷却構造が適用されるフロントインバータ４の構成について詳述する。図２は、車両１に搭載された状態でのフロントインバータ４の鉛直断面図（図３のＡ−Ａ矢視断面図）であって、図３は、車両１に搭載された状態でのフロントインバータ４の水平断面図（図２のＢ−Ｂ矢視断面図）である。図２及び図３中に示すＵＰ，ＦＲ，ＲＨは、車両上方，車両前側，車両右側のそれぞれに対応する。
【００２３】
図３に示すように、フロントインバータ４は、筐体４０の内部において、鉛直方向に延びる平面状の縦壁部４５を隔てて隣接配置された第一電力変換部２１（発熱部）と第二電力変換部３１（発熱部）とを備える。第一電力変換部２１はフロントモータ２を駆動するための部品であり、第二電力変換部３１はジェネレータ３を駆動するための部品である。なお、縦壁部４５の一端は筐体４０の側面に面接触して固定されているが、縦壁部４５の他端は筐体４０の側面から離隔している。
【００２４】
二つ電力変換部２１，３１は、ＩＧＢＴ（Insulated Gate Bipolar Transistor）と呼ばれるトランジスタやサイリスタ等のスイッチング素子を複数有し、これらのスイッチング素子をオンオフさせることで直流電力を交流電力に変換する。本実施形態では、三相交流と直流との変換を行うために、三相に対応した三つのスイッチング回路を有する電力変換部２１，３１を例示している。
【００２５】
第一電力変換部２１はフロントモータ２の駆動中に発熱し、第二電力変換部３１はジェネレータ３の駆動中に発熱する。本実施形態の筐体４０の内部には、図３に示すように、第一電力変換部２１を冷却する第一冷却部Ｗ１と、第二電力変換部３１を冷却する第二冷却部Ｗ２とが設けられる。すなわち、本冷却構造には、異なる発熱部２１，３１を冷却する二つの冷却部Ｗ１，Ｗ２が設けられる。二つの冷却部Ｗ１，Ｗ２のそれぞれは、二つの電力変換部２１，３１のそれぞれに付設され、ポンプ１１で圧送された冷却水が流通可能に形成される。つまり、二つの冷却部Ｗ１，Ｗ２は、冷却水が流通する循環経路１３の一部である。
【００２６】
図３中の黒塗り矢印は、冷却水が循環経路１３内を正常に循環しているときの冷却水の流通方向を示している。図３に示すように、ポンプ１１で圧送された冷却水は、筐体４０に貫設された入口部Ｗ３からフロントインバータ４の内部に流入し、第二冷却部Ｗ２において第二電力変換部３１を冷却し、第一冷却部Ｗ１において第一電力変換部２１を冷却し、筐体４０に貫設された出口部Ｗ４を経て車載充電器７側へ送られる。なお、ここでは第二冷却部Ｗ２が第一冷却部Ｗ１の上流側に位置する場合を例示しているが、第一冷却部Ｗ１が第二冷却部Ｗ２の上流側に位置するように、入口部Ｗ３及び出口部Ｗ４が設けられていてもよい。
【００２７】
二つの冷却部Ｗ１，Ｗ２は、縦壁部４５を隔てて隣接配置されるとともに、入口部Ｗ３及び出口部Ｗ４とは反対側（図３中の縦壁部４５の左側）の連通部Ｗ５で互いに連通する。また、縦壁部４５には、隣接する二つの冷却部Ｗ１，Ｗ２を連通させる開口５１Ａ，５１Ｂ（以下「開口５１」とも表記する）が貫設される。開口５１には、開口５１を閉塞可能な形状に形成されたバイメタル式のカバー５２Ａ，５２Ｂ（以下「カバー５２」とも表記する）が付設される。
【００２８】
これらの開口５１及びカバー５２は、循環経路１３上で何らかの異常が生じて冷却水が流通しなくなった場合に、二つの電力変換部２１，３１の温度上昇を抑制するものである。カバー５２は、開口５１の縁部に対して一端が固定されるとともに他端側が開閉するように設けられ、フロントインバータ４内の冷却水の温度（以下「冷却水温度Tw」という）が所定の閾値温度Tth未満であるときに開口５１を閉塞し、冷却水温度Twが閾値温度Tth以上であるときに湾曲して開口５１を開放する。
【００２９】
図２に示すように、本実施形態のフロントインバータ４は、フロントモータ２を駆動するための部品として、第一電力変換部２１に加えて第一コンデンサ部２２及び第一制御回路部２３を備える。また、フロントインバータ４は、ジェネレータ３を駆動するための部品として、第二電力変換部３１に加えて第二コンデンサ部３２及び第二制御回路部３３を備える。コンデンサ部２２，３２はバッテリ４から供給される直流電力を平滑化するものであり、制御回路部２３，３３は各電力変換部２１，３１のスイッチング素子をオンオフ制御するものである。なお、第二コンデンサ部３２及び第二制御回路部３３は、第一コンデンサ部２２及び第一制御回路部２３と同様に筐体４０内に配置されるため、図２には、第一コンデンサ部２２及び第一制御回路部２３に符号３２，３３を亀甲括弧で併記している。すなわち、図２中に亀甲括弧で示す符号は、図２の断面には表れない要素である。
【００３０】
ここで、第一電力変換部２１と第一コンデンサ部２２と第一制御回路部２３とは、フロントモータ２に関する電力変換及び制御を実施する電子部品として、まとめてＦＭＣＵ（Front Motor Control Unit）とも呼ばれる。また、第二電力変換部３１と第二コンデンサ部３２と第二制御回路部３３とは、ジェネレータ３に関する電力変換及び制御を実施する電子部品として、まとめてＧＣＵ（Generator Control Unit）とも呼ばれる。
【００３１】
ＦＭＣＵ及びＧＣＵは、互いに等しく構成され、一つの筐体４０内において水平方向に並んで配置される。すなわち、図２に示すように、ＦＭＣＵの各部２１〜２３は、上下方向に並んで配置され、筐体４０に収納される。同様に、ＧＣＵの各部３１〜３３も、上下方向に並んで配置され、筐体４０に収納される。なお、図２及び図３と後述する図７及び図８とでは、断面を示すハッチングを、筐体４０及びカバー５２以外の要素では省略している。
【００３２】
また、第一電力変換部２１の直上には、図２に示すように第一電力変換部２１と第一冷却部Ｗ１との熱交換を促すための第一ヒートシンク２４が設けられる。同様に、第二電力変換部３１の直上にも、第二電力変換部３１と第二冷却部Ｗ２との熱交換を促すための第二ヒートシンク３４が設けられる。なお、図３，図７及び図８では、第一ヒートシンク２４及び第二ヒートシンク３４の図示を省略している。また、図３に示すように、二つの電力変換部２１，３１のそれぞれにはサーミスタ６０が付設される。各サーミスタ６０は、冷却水温度Twを推定するために、電力変換部２１，３１の温度Tfを検出し、検出した温度情報を制御装置１０に伝達する。
【００３３】
図２及び図３に示すように、筐体４０は、外観形状が直方体である箱型部材であり、上下方向に沿って立設された四つの側面部４４を含む本体部４１と、側面部４４の上縁部に固定されて本体部４１の上方に配置された上面部４２と、側面部４４の下縁部に固定されて本体部４１の下方に配置された下面部４３とを有する。四つの側面部４４は、四角筒状となるように配置される。また、筐体４０は、冷却水の流通方向に沿って鉛直方向に立設された上記の縦壁部４５を有する。
【００３４】
図２に示すように、筐体４０には、電力変換部２１，３１が収容される空間と、コンデンサ２２，３２が収容される空間と、制御回路部２３，３３が収容される空間とが設けられる。本実施形態の筐体４０では、上から順にコンデンサ部２２，３２の収容空間，電力変換部２１，３１の収容空間，制御回路部２３，３３の収容空間が設けられる。なお、各空間は連通していてもよいし、区画されていてもよい。本実施形態では、電力変換部２１，３１の収容空間と制御回路部２３，３３の収容空間とが横壁部４６によって区画されている。
【００３５】
筐体４０には、コンデンサ部２２，３２の収容空間と電力変換部２１，３１の収容空間との間に、冷却用の空間（以下「冷却空間」という）が設けられる。冷却空間は、発熱部である電力変換部２１，３１を冷却する冷却水が流通する空間であり、上記の第一冷却部Ｗ１及び第二冷却部Ｗ２を含む。
【００３６】
図３に示すように、冷却空間は、縦壁部４５（壁部）によって二つの空間Ｓ１，Ｓ２に分かれている。一方の空間Ｓ１は、第一電力変換部２１の収容空間の上部に位置し、側面部４４と縦壁部４５と第一ヒートシンク２４と第一コンデンサ部２２の下面部２２ｂとによって区画される。他方の空間Ｓ２は、第二電力変換部３１の収容空間の上部に位置し、側面部４４と縦壁部４５と第二ヒートシンク３４と第二コンデンサ部３２の下面部３２ｂとによって区画される。
【００３７】
空間Ｓ１が第一電力変換部２１を冷却する上記の第一冷却部Ｗ１に相当し、空間Ｓ２が第二電力変換部３１を冷却する上記の第二冷却部Ｗ２に相当する。なお、上記したように、二つの冷却部Ｗ１，Ｗ２は縦壁部４５によって完全には隔てられておらず、連通部Ｗ５で互いに連通する。本実施形態では、二つの冷却部Ｗ１，Ｗ２が縦壁部４５の左側で互いに連通する場合を例示する。
【００３８】
入口部Ｗ３は、第二冷却部Ｗ２を区画する側面部４４の一部に貫設される。また、出口部Ｗ４は、第一冷却部Ｗ１を区画する側面部４４の一部に貫設される。図３の例では、入口部Ｗ３及び出口部Ｗ４はいずれも、四つの側面部４４のうち同一の側面部４４であって、連通部Ｗ５とは反対側の側面部４４（図３中の右側の側面部４４）に設けられている。
【００３９】
ポンプ１１で圧送された冷却水は、上述の構成により、入口部Ｗ３からフロントインバータ４内に流入し、第二冷却部Ｗ２内を流通し、連通部Ｗ５で折り返して（Ｕターンして）、第一冷却部Ｗ１内を流通し、出口部Ｗ４を経て車載充電器７側へ送られる。このため、第二冷却部Ｗ２における冷却水の流通方向と第一冷却部Ｗ１における冷却水の流通方向とは互いに平行で逆方向となる。また、縦壁部４５は、両方の流通方向に沿って鉛直方向に立設されている。
【００４０】
上述の通り、縦壁部４５に設けられた開口５１及びバイメタル式のカバー５２は、循環経路１３上で何らかの異常が生じて冷却水が流通しなくなった場合に、二つの電力変換部２１，３１の温度上昇を抑制するものである。ここで、バイメタルとは、温度差による膨張収縮率が大きい高膨張金属板と温度差による膨張収縮率が小さい低膨張金属板とを張り合わせて構成された部材であり、部材の温度が上昇することによって高膨張金属板と低膨張金属板との延び量の差が大きくなって湾曲する特性を有する。すなわち、カバー５２は、冷却水の温度が上昇すると自動的に湾曲して、開口５１を開放する機能を持つ。
【００４１】
カバー５２は、開口５１の縁部に対して固定されることで、冷却水温度Twが所定の閾値温度Tth未満であるときに開口５１を閉塞する。また、カバー５２は、冷却水温度Twが所定の閾値温度Tth以上であるときに湾曲して、開口５１の縁部に対して固定されていない他端側が変位することで、開口５１を開放する。これにより、二つの冷却部Ｗ１，Ｗ２が開口５１を介して連通状態となるため、循環経路１３上で何らかの異常が生じた際に、各冷却部Ｗ１，Ｗ２内の冷却水が行き来できるようになり、電力変換部２１，３１の温度上昇が抑制される。
【００４２】
図２及び図３に示すように、本実施形態の縦壁部４５には、複数の開口５１が設けられ、各開口５１にカバー５２が設けられる。すなわち、各カバー５２は、各開口５１の縁部に対して一端が固定されるとともに他端側が開閉する。なお、ここでは、四つの開口５１が同一の上下方向位置であって流通方向に並んで設けられる場合を例示する。
【００４３】
本実施形態では、複数のカバー５２の閾値温度Tthが、カバー５２ごとに設定される場合を説明する。本実施形態では、四つのカバー５２のうち、二つのカバー５２Ａが互いに同一の閾値温度Tthに設定され、残り二つのカバー５２Ｂが互いに同一の閾値温度Tthに設定されており、前者の閾値温度Tthと後者の閾値温度Tthとは異なる値に設定されている。以下、前者の閾値温度Tthを「第一期閾値温度Tth1」といい、後者の閾値温度Tthを「第二期閾値温度Tth2」という。
【００４４】
第二期閾値温度Tth2は、循環経路１３上で何らかの異常が生じたと判断できる冷却水の温度よりも高い値であって、電力変換部２１，３１の熱によるフロントインバータ４の故障が予期される冷却水の温度よりも低い値である。言い換えると、カバー５２Ｂは、少なくとも電力変換部２１，３１の熱によってフロントインバータ４が故障する前に開口５１を開放するように閾値温度Tth2が設定されている。以下、このカバー５２Ｂを「第二期カバー５２Ｂ」といい、第二期カバー５２Ｂで閉塞される開口５１を「第二期開口５１Ｂ」という。
【００４５】
一方、第一期閾値温度Tth1は、第二期閾値温度Tth2よりも低い値であり、例えば循環経路１３上で何らかの異常が生じたと判断できる冷却水の温度と同程度とされる。言い換えると、カバー５２Ａは、循環経路１３上で何らかの異常が生じて冷却水の流れが滞ったときに開口５１を開放するように閾値温度Tth1が設定されている。以下、このカバー５２Ａを「第一期カバー５２Ａ」といい、第一期カバー５２Ａで閉塞される開口５１を「第一期開口５１Ａ」という。
【００４６】
次に、図４を参照しながら、開口５１及びカバー５２の構成についてさらに詳述する。図４は、図３に示す領域Ｒの拡大図である。図４の破線は第一期カバー５２Ａが湾曲したことで第一期開口５１Ａが開放されている様子を示し、図４の一点鎖線は第二期カバー５２Ｂが湾曲したことで第二期開口５１Ｂが開放されている様子を示す。
【００４７】
本実施形態のカバー５２は、二つの冷却部Ｗ１，Ｗ２の一方を流通する冷却水の流通方向を基準としたときに、当該カバー５２の一端が開口５１よりも上流側に位置するように固定される。上述の通り、第二冷却部Ｗ２における冷却水の流通方向と第一冷却部Ｗ１における冷却水の流通方向とは、互いに平行で逆方向である。このため、第二冷却部Ｗ２を流通する冷却水の流通方向を基準とした場合にはフロントインバータ４の右側が上流側に相当し、第一冷却部Ｗ１を流通する冷却水の流通方向を基準とした場合にはフロントインバータ４の左側が上流側に相当する。
【００４８】
図４に示すように、第二冷却部Ｗ２側に配置されている第一期カバー５２Ａの一端は、第二冷却部Ｗ２を流通する冷却水の流通方向を基準として、第一期開口５１Ａよりも上流側にあたる右側の縁部に固定される。また、第一冷却部Ｗ１側に配置されている第二期カバー５２Ｂの一端は、第一冷却部Ｗ１を流通する冷却水の流通方向を基準として、第二期開口５１Ａよりも上流側にあたる左側の縁部に固定される。
【００４９】
さらに、本実施形態のカバー５２は、冷却水の温度が閾値温度Tth以上であるときに、カバー５２の他端側が流通方向の基準とした冷却部Ｗ１，Ｗ２内に入り込むように湾曲する。すなわち、第二冷却部Ｗ２側に配置されている第一期カバー５２Ａは、図４に破線で示すように、第一期閾値温度Tth1以上であるときに第二冷却部Ｗ２に入り込むように湾曲する。一方、第一冷却部Ｗ１側に配置されている第二期カバー５２Ｂは、図４に一点鎖線で示すように、第二期閾値温度Tth2以上のときに第一冷却部Ｗ１に入り込むように湾曲する。
【００５０】
［２．制御構成］
図５は、車両１に搭載される制御装置１０のブロック図である。制御装置１０は、フロントインバータ４の冷却水温度Twに基づき、フロントモータ２，ジェネレータ３及びリアモータ５の駆動を禁止又は許容することによって、電力変換部２１，３１の熱によるフロントインバータ４の故障を抑制するための制御を実施する。
【００５１】
冷却水が循環経路１３内を正常に流通している場合には、フロントインバータ４内の電力変換部２１，３１が適切に冷却されることから、電力変換部２１，３１の高温化が防止される。一方で、循環経路１３上で何らかの異常が生じて冷却水が流通しなくなった場合（例えば、ポンプ１１が故障した場合）には、電力変換部２１，３１の冷却が不十分となる。これにより、冷却水温度Twが上昇するとともに電力変換部２１，３１の熱によりフロントインバータ４の故障を招くおそれがある。
【００５２】
このため、制御装置１０は、冷却水温度Twがフロントインバータ４の故障が予期される冷却水の温度（後述する禁止温度Tmax）以上である場合に、フロントモータ２及びジェネレータ３の駆動を禁止するとともにリアモータ５の駆動を許容することで、電力変換部２１，３１の熱によるフロントインバータ４の故障を抑制する。なお、制御装置１０は、冷却水温度Twが禁止温度Tmax未満である場合には、車両１の駆動を優先し、フロントモータ２及びジェネレータ３の駆動を許容する。
【００５３】
具体的には、制御装置１０は、サーミスタ６０から伝達された電力変換部２１，３１の温度Tfから冷却水温度Twを推定し、冷却水温度Twと禁止温度Tmaxとを比較する。ここで、禁止温度Tmaxとは、循環経路１３上で何らかの異常が生じて冷却水が正常に循環しなくなり、且つ、フロントインバータ４の故障が予期される場合に取得され得る温度である。すなわち、禁止温度Tmaxは、上記の第一期閾値温度Tth1及び第二期閾値温度Tth2よりも高い温度に設定される。
【００５４】
制御装置１０は、冷却水温度Twが禁止温度Tmax以上（Tw≧Tmax）である場合には、フロントモータ２及びジェネレータ３の駆動を禁止するようにフロントインバータ４を制御するとともに、リアモータ５の駆動を許容するようにリアインバータ６を制御する。このような制御により、フロントインバータ４内のフロントモータ２の駆動中に発熱する第一電力変換部２１とジェネレータ３の駆動中に発熱する第二電力変換部３１とがともに発熱しなくなるため、電力変換部２１，３１の発熱が抑制される。さらに、リアモータ５の駆動が許容されることで、車両１の走行が継続されやすくなるため、航続距離と航続時間とが延長されやすくなる。
【００５５】
一方で、制御装置１０は、冷却水温度Twが禁止温度Tmax未満である場合には、フロントモータ２及びジェネレータ３の駆動を許容するようにフロントインバータ４を制御する。制御装置１０は、一旦、冷却水温度Twが禁止温度Tmax以上（T≧Tmax）となってフロントモータ２及びジェネレータ３の駆動を禁止した場合であっても、時間の経過とともに冷却水温度Twが禁止温度Tmaxを下回った場合には同様に制御する。すなわち、制御装置１０は、冷却水温度Twが禁止温度Tmax未満である場合には、フロントインバータ４の故障発生までは未だ猶予があると判断して車両１の駆動を優先し、フロントモータ２及びジェネレータ３の駆動を許容する。これにより、循環経路１３内に何らかの異常が発生した場合であっても車両１の走行が継続されやすくなるため、航続距離と航続時間とが延長されやすくなる。
【００５６】
［３．フローチャート］
図６は、上述した制御装置１０で実施される制御の内容を説明するためのフローチャート例である。このフローチャートは、制御装置１０において、車両１の主電源が投入されている（オン状態である）ときに所定の演算周期で実施される。
【００５７】
ステップＫ１では、サーミスタ６０で検出された温度Tfが取得され、冷却水温度Twが推定される。続くステップＫ２では、冷却水温度Twが禁止温度Tmax以上（T≧Tmax）であるか否かが判定される。
【００５８】
ステップＫ２において、冷却水温度Tが禁止温度Tmax未満である場合は、ステップＫ３でフロントモータ２の駆動が許容され、ステップＫ４でジェネレータ３の駆動が許容されて、このフローをリターンする。
【００５９】
一方、ステップＫ２において、冷却水温度Twが禁止温度Tmax以上である場合は、ステップＫ５においてフロントモータ２の駆動が禁止され、ステップＫ６においてジェネレータ３の駆動が禁止され、ステップＫ７においてリアモータ５の駆動が許容されて、このフローをリターンする。なお、フローをリターンしたのち、冷却水温度Twが再び禁止温度Tmax未満となった場合には（ステップＫ２のNoルート）、その時点でのフロントモータ２，ジェネレータ３の駆動が切り替えられる（ステップＫ３，Ｋ４）。
【００６０】
［４．作用］
本実施形態の冷却構造が適用されるフロントインバータ４の作用について、図３，図７及び図８を用いて説明する。図７は、循環経路１３上で何らかの異常が生じて冷却水が流通しなくなった場合であって、且つ、冷却水温度Twが第一期閾値温度Tth1以上であるとき（Tth1≦Tw＜Tth2）のフロントインバータ４の水平断面図である。図８は、図７と同様に循環経路１３上で何らかの異常が生じて冷却水が流通しなくなった場合であって、且つ、冷却水温度Twが第二期閾値温度Tth2以上であるとき（Tth2≦Tw）のフロントインバータ４の水平断面図である。
【００６１】
冷却水が循環経路１３内を正常に流通している場合には、フロントインバータ４内の電力変換部２１，３１が適切に冷却され、冷却水温度Twが第一期閾値温度Tth1未満に維持される。このとき、カバー５２の高膨張金属板と低膨張金属板との延び量には、ほとんど差が生じない。このため、全てのカバー５２は、湾曲せず、図３に示すように、開口５１を閉塞する。
【００６２】
一方、循環経路１３上で何らかの異常が生じ、冷却水が流通しなくなった場合には、電力変換部２１，３１の冷却が不十分となる。この状態でフロントモータ２やジェネレータ３の使用を継続すると、冷却水温度Twが上昇する。
【００６３】
冷却水温度Twが上昇して第一期閾値温度Tth1以上となると、第一期カバー５２Ａの高膨張金属板と低膨張金属板との延び量の差が大きくなり、第一期カバー５２Ａが湾曲する。第一期カバー５２Ａが湾曲すると、第一期開口５１Ａの縁部に対して固定された第一期カバー５２Ａの一端とは逆側の他端が変位し、図７に示すように、第一期開口５１Ａが開放される。
【００６４】
ここで、フロントモータ２が駆動中であり、ジェネレータ３が非駆動中であると仮定する。フロントモータ２が駆動中のときには第一電力変換部２１が発熱するため、第一冷却部Ｗ１の冷却水が昇温される。一方、ジェネレータ３が非駆動中のときには第二電力変換部３１は発熱しないため、第二冷却部Ｗ２の冷却水は第一冷却部Ｗ１の冷却水ほど昇温されない。
【００６５】
つまりこの場合には、第一冷却部Ｗ１と第二冷却部Ｗ２との冷却水の間に温度差が生じる。この状態で第一期カバー５２Ａが第一期開口５１Ａを開放すると、二つの冷却部Ｗ１，Ｗ２が、連通部Ｗ５に加えて、第一期開口５１Ａにおいても連通状態となる。これにより、第一期開口５１Ａが開放されていない場合と比較して、二つの冷却部Ｗ１，Ｗ２の冷却水が行き来しやすくなり、発熱している第一電力変換部２１の温度上昇が抑制される。
【００６６】
詳述すると、低温側である第二冷却部Ｗ２の冷却水が対流により第一冷却部Ｗ１に流入し、第一冷却部Ｗ１の冷却水と混ざることで第一冷却部Ｗ１の冷却水の温度が低下する。また、高温側である第一冷却部Ｗ１の冷却水が対流により第二冷却部Ｗ２に流入して混ざり合うことで、冷却空間内の冷却水の温度上昇が抑制される。このように、冷却空間内で冷却水が行き来することで、発熱している第一電力変換部２１の急激な温度上昇を抑制することができる。なお、図７中の黒塗り矢印は、第一期開口５１Ａが開放された場合の冷却空間内の冷却水の流れを示す。
【００６７】
ジェネレータ３が駆動中であり、フロントモータ２が非駆動中である場合にも上記と同様に作用する。この場合には、第二電力変換部３１の発熱によって第二冷却部Ｗ２の冷却水が昇温されるが、低温側である第一冷却部Ｗ１の冷却水が対流により第二冷却部Ｗ２に流入することで、第二電力変換部３１の急激な温度上昇を抑制することができる。
【００６８】
第一期開口５１Ａが開放されたことで二つの冷却部Ｗ１，Ｗ２間を冷却水が行き来し、再び冷却水温度Twが第一期閾値温度Tth1未満となると、図３に示すように、第一期開口５１Ａが閉塞される。この状態で、さらにフロントモータ２やジェネレータ３の使用を継続すると、冷却水温度Twは再び上昇し、再び第一期開口５１Ａが開放される。第一期カバー５２Ａはこのように第一期開口５１Ａの開閉を繰り返すことで、流通しなくなった冷却水に動きを与え、冷却空間内の冷却水の温度上昇を抑制する。
【００６９】
さらに冷却水温度Twが上昇して、第二期閾値温度Tth2以上となった場合には、第二期カバー５２Ｂの高膨張金属板と低膨張金属板との延び量の差が大きくなり、図８に示すように第二期カバー５２Ｂも湾曲して、第二期開口５１Ｂが開放される。このため、第一冷却部Ｗ１と第二冷却部Ｗ２との冷却水は、連通部Ｗ５と第一期開口５１Ａとに加えて、第二期開口５１Ｂにおいても行き来が可能となる。
【００７０】
つまり、冷却水温度Twが第二期閾値温度Tth2を超える場合（Tth2≦Tw）には、冷却水温度Twが第一期閾値温度Tth1以上かつ第二期閾値温度Tth2未満であるとき（Tth1≦Tw＜Tth2）よりも広い面積で二つの冷却部Ｗ１，Ｗ２が連通状態となる。このため、二つの冷却部Ｗ１，Ｗ２の冷却水の間に温度差が生じた場合には、高温側の冷却部と低温側の冷却部との冷却水の行き来がさらに促進されて、冷却空間内の冷却水の温度上昇が抑制される。従って、電力変換部２１，３１の急激な温度上昇がより抑制される。なお、図８中の黒塗り矢印は、二種類の開口５１Ａ，５１Ｂが共に開放された場合の冷却空間内の冷却水の流れを示す。
【００７１】
冷却水がさらに昇温され、冷却水温度Twが禁止温度Tmax以上となった場合には、フロントモータ２及びジェネレータ３の駆動が禁止され、リアモータ５の駆動が許容される。これにより、フロントインバータ４内のフロントモータ２の駆動中に発熱する第一電力変換部２１とジェネレータ３の駆動中に発熱する第二電力変換部３１とがともに発熱しなくなる。また、このとき、リアモータ５の駆動が許容されることで、車両１の走行が継続されやすくなるため、航続距離と航続時間とが延長されやすくなる。
【００７２】
フロントモータ２及びジェネレータ３の駆動が禁止された後、再び冷却水温度Twが禁止温度Tmax未満となった場合には、フロントモータ２及びジェネレータ３の駆動が再び許容される。このとき、カバー５２が冷却水温度Twに応じて開口５１を開閉するため、電力変換部２１，３１の急激な温度上昇を抑制しつつ、車両１の走行を継続することができる。
【００７３】
［５．効果］
（１）上述した冷却構造が適用されるフロントインバータ４は、冷却空間内の冷却水温度Twが上昇して閾値温度Tth以上となったときにカバー５２が湾曲して開口５１を開放する。これにより、隣接する二つの冷却部Ｗ１，Ｗ２が開口５１を通じて連通状態となる。このため、仮に、循環経路１３を冷却水が流通できない状況になったとしても、冷却水の対流を利用して、高温側の冷却部と低温側の冷却部との間の冷却水の行き来を促進することで、高温側の冷却部の昇温を抑制できる。従って、循環経路１３上において何らかの異常が生じた場合であっても発熱部である電力変換部２１，３１の急激な温度上昇を抑制できる。
【００７４】
（２）上述したカバー５２は、二つの冷却部Ｗ１，Ｗ２の一方を流通する冷却水の流通方向を基準としたときに、カバー５２の一端が開口５１よりも上流側に位置するように固定される。これにより、循環経路１３内を冷却水が流通している状態でカバー５２が開放されたときでも、流通抵抗の増大を抑制できる。つまり、循環経路１３を冷却水が全く流通できない状況に限らず、何らかの理由（例えば、ポンプ１１の機能の低下）によって循環経路１３の冷却水の循環速度が低下した場合にも、流通抵抗の増大を抑制しつつ、電力変換部２１，３１の急激な温度上昇を抑制できる。
【００７５】
（３）また、上述したカバー５２は、冷却水温度Twが閾値温度Tth以上であるときに、開口５１の縁部に対して固定されたカバー５２の一端とは逆側の他端側が、流通方向の基準とした冷却部Ｗ１，Ｗ２内に入り込むように湾曲する。これにより、循環経路１３上で何らかの異常が生じたとしても、流通抵抗の増大を抑制しつつ、電力変換部２１，３１の急激な温度上昇を効果的に抑制できる。
【００７６】
（４）上述した開口５１は縦壁部４５に複数設けられ、カバー５２は、各々の開口５１の縁部に対して一端が固定されるとともに他端側が開閉する。このような構成により、二つの冷却部Ｗ１，Ｗ２が連通する面積（連通面積）を広く確保することができる。従って、二つの冷却部Ｗ１，Ｗ２の冷却水の行き来をより促進することができる。
【００７７】
また、所定の連通面積を確保しようとするとき、複数の開口５１を設けて各開口５１をカバー５２で塞ぐ方が、一つの開口５１をカバー５２で塞ぐ構成と比べてカバー５２のサイズを小さくすることができる。このため、一つの大きな開口５１を形成する場合と比較して、冷却水温度Twが閾値温度Tth以上になった場合に、カバー５２が冷却部Ｗ１，Ｗ２内に入り込む量（カバー５２の進入体積）を小さくすることができるので、流通抵抗の増大を抑制できる。
【００７８】
（５）上述の冷却構造は電動車両１の駆動源であるフロントモータ２を駆動するためのフロントインバータ４に適用される。これにより、循環経路１３上で何らかの異常が生じたとしても、フロントモータ２の駆動中に発熱する電力変換部２１の急激な温度上昇を抑制できる。このため、電力変換部２１，３１の熱によってフロントインバータ４が故障することを防ぎつつ、フロントモータ２による車両１の走行を継続することができる。従って、例えば車両１が修理工場や販売会社等に到着するまでの時間を稼ぐことができる。
【００７９】
（６）上述の車両１はリアモータ５を備える四輪駆動車である。また、制御装置１０はフロントインバータ４の冷却水温度Twが禁止温度Tmax以上である場合に、フロントモータ２及びジェネレータ３の駆動を禁止するようにフロントインバータ４を制御するとともに、リアモータ５の駆動を許容するようにリアインバータ６を制御する。これにより、仮にフロントインバータ４の冷却水温度Twが禁止温度Tmax以上となり、フロントモータ２の駆動が禁止されても、リアモータ５を駆動することで、車両１の走行を継続することができる。
【００８０】
また、上述した制御装置１０は、循環経路１３上で何らかの異常が生じて冷却水温度Twが禁止温度Tmax以上となっても、冷却水温度Twが再度禁止温度Tmaxを下回った場合には、フロントモータ２やジェネレータ３の駆動を許容する。これにより車両１の走行がより継続されやすくなることから、車両１の航続可能時間及び航続可能距離が延長されやすくなる。従って、循環経路１３上で何らかの異常が生じたとしても、車両１が走行不能となる事態を回避しやすくすることができる。
【００８１】
［６．その他］
上述した冷却構造や車両１の構成は一例である。本実施形態では、車両１の搭載するフロントインバータ４に上述した冷却構造を適用する場合について説明したが、上述の冷却構造は、車両のインバータに限らず、複数の発熱部を具備する電子機器に適用可能である。
【００８２】
上述の車両１は、リアモータ５及びリアインバータ６を備える四輪駆動車であるものとして説明したが、車両１がリアモータ５及びリアインバータ６を備えない構成としてもよい。また、車両１が上述のような四輪駆動車であるとき、制御装置１０は、フロントインバータ４内の冷却水温度Twが禁止温度Tmax未満である場合に、リアモータ５の駆動を禁止するようにリアインバータ６を制御してもよい。このように制御することで、リアモータ５を冷却する機会を設けることができるため、車両１の航続可能時間及び航続可能距離を更に引き伸ばすことができる。
【００８３】
本実施形態では、閾値温度Tthとして第一期閾値温度Tth1及び第二期閾値温度Tth2の二つの値を例示したが、閾値温度Tthの値はこれに限らない。例えば、閾値温度Tthを上記の第一期閾値温度Tthの値よりも低い値としてもよい。つまり、循環経路１３を冷却水が流通しているとき（正常時）にも開口５１が開放される構成としてもよい。このような構成とすることで、正常時にも冷却水温度Twの上昇に伴って開口５１が開放される分だけ連通面積を拡大することができるため、冷却効率を高めることができる。
【００８４】
また、閾値温度Tthは、全てのカバー５２に対し同一の値を設定してもよい。全てのカバー５２の閾値温度Tthを、例えば上記の第一期閾値温度Tth1の値に設定することで、循環経路１３上で何らかの異常が生じた場合に、早い段階から発熱部である電力変換部２１，３１の急激な温度上昇を抑制できる。また、全ての閾値温度Tthを、上記の第二期閾値温度Tth2の値に設定することで、フロントインバータ４の故障発生前に電力変換部２１，３１の温度上昇を抑制できるため、フロントインバータ４の故障発生の可能性を低減させることができる。
【００８５】
本実施形態のフロントインバータ４は、入口部Ｗ３及び出口部Ｗ４の双方が右側の側壁部４４に設けられているが、入口部Ｗ３及び出口部Ｗ４の配置はこれに限らない。例えば、左側の側壁部４４に入口部Ｗ３及び出口部Ｗ４の双方を設ける構成としてもよいし、前側の側壁部４４に入口部Ｗ３を設け、後側の側壁部４４に出口部Ｗ４を設ける構成としてもよい。
【００８６】
また、本実施形態では、縦壁部４５の一端が右側の側壁部４４に面接触して固定される一方で、他端は左側の側壁部４４から離隔しているものとして説明したが、二つの冷却部の間に位置する壁部の構成はこれに限らない。例えば、壁部の一端が左側の側壁部４４に面接触して固定される一方で、他端が右側の側壁部４４から離隔して配置されてもよい。
【００８７】
また、二つの冷却部の間に位置する壁部が左側の側壁部４４にも右側の側壁部４４にも面接触して固定され、二つの冷却部のそれぞれに入口部及び出口部を設ける構成としてもよい。つまり、循環経路１３を流通する冷却水がフロントインバータ４内で分岐して、並行に流通する場合でも、上述した冷却構造を適用することができる。
【００８８】
本実施形態において、縦壁部４５には開口５１とカバー５２とがそれぞれ四つずつ設けられた場合を例示したが、開口５１及びカバー５２の数はこれに限らない。また、本実施形態において、縦壁部４５に設けられた四つの開口５１は、すべて同一の上下方向であって流通方向に並んで設けられている構造について説明したが、開口５１の位置はこれに限らない。本実施形態において、二つの第一期カバー５２Ａはいずれも第二冷却部Ｗ２に進入し、二つの第二期カバー５２Ｂはいずれも第一期冷却部Ｗ１に進入するものとして説明したが、これ以外の配置としてもよい。
【符号の説明】
【００８９】
１  車両（電動車両）
２  フロントモータ（二つの回転電機のうちの一つ）
３  ジェネレータ（二つの回転電機のうちの一つ）
４  フロントインバータ（第一インバータ）
５  リアモータ（別の回転電機）
６  リアインバータ（第二インバータ）
１０  制御装置
１３  循環経路（流路）
２１  第一電力変換部（発熱部）
３１  第二電力変換部（発熱部）
４０  筐体
４５  縦壁部（壁部）
５１  開口
５１Ａ  第一期開口
５１Ｂ  第二期開口
５２  カバー
５２Ａ  第一期カバー
５２Ｂ  第二期カバー
６０  サーミスタ（センサ）
Ｗ１  第一冷却部
Ｗ２  第二冷却部
Tw  冷却水温度
Tf  電力変換部の温度
Tth  閾値温度
Tth1  第一期閾値温度
Tth2  第二期閾値温度
Tmax  禁止温度
【図１】
2020088180.tif 000003
【図２】
2020088180.tif 000004
【図３】
2020088180.tif 000005
【図４】
2020088180.tif 000006
【図５】
2020088180.tif 000007
【図６】
2020088180.tif 000008
【図７】
2020088180.tif 000009
【図８】
2020088180.tif 000010